(57)【要約】【課題】空気調和機を傷や損壊から防ぐだけでなく、人手により搬送ができる安価な空気調和機の梱包材を提供することを目的とする。【解決手段】この発明に係る空気調和機の梱包材は、木材を使用し、薄板を井桁状に組み合わせ、長手方向に平行な方向の端部にフォークリフトの差込口を有し、上面に空気調和機の室外機の載置面を形成した梱包材ベースと、この梱包材ベースの長手方向両端部にはめ込まれ、上面が空気調和機の室外機の底面と接触し、人が運搬するための切欠部を有する緩衝材とを備えたことを特徴とする。【選択図】        図２
2005271958.tif 000002
【特許請求の範囲】
【請求項１】
木材を使用し、薄板を井桁状に組み合わせ、長手方向に平行な方向の端部にフォークリフトの差込口を有し、上面に空気調和機の室外機の載置面を形成した梱包材ベースと、
この梱包材ベースの長手方向両端部にはめ込まれ、上面が空気調和機の室外機の底面と接触し、人が運搬するための切欠部を有する緩衝材と、
を備えたことを特徴とする空気調和機の梱包材。
【請求項２】
木材を使用し、薄板を井桁状に組み合わせた梱包材ベースと、上面が空気調和機の室外機の底面と接触し、人が運搬するための切欠部を有する緩衝材とを有する空気調和機の梱包材を用いた搬送方法において、
前記梱包材ベースと前記緩衝材とで構成された梱包材の上に前記室外機を置く工程と、
前記室外機の据付足を薄板にネジにより固定する工程と、
井桁状に組まれた薄板間の隙間から手を挿しいれ、前記緩衝材の切欠部を持ち上げて前記室外機を搬送する工程と、
を備えたことを特徴とする空気調和機の梱包材を用いた搬送方法。
【請求項３】
木材を使用し、薄板を井桁状に組み合わせ、長手方向に平行な方向の端部にフォークリフトの差込口を有し、上面に物品の載置面を形成した梱包材ベースと、
この梱包材ベースの長手方向両端部にはめ込まれ、上面が物品の底面と接触し、人が運搬するための切欠部を有する緩衝材と、
を備えたことを特徴とする物品の梱包材。
【発明の詳細な説明】
【技術分野】
【０００１】
この発明は、空気調和機の梱包材及びそれを用いた搬送方法及び物品の梱包材に関するもので、特に質量の重い室外機等の物品の搬送に適した梱包材に関するものである。
【背景技術】
【０００２】
従来の空気調和機の梱包材は、その質量に応じて、木材、段ボール、樹脂の緩衝材等や、それらの組み合わせで構成した梱包材を採用している。特に質量の重い室外機には強度向上の観点から木材を使用するのが一般的である。質量の重い空気調和機の搬送は通常フォークリフト等機械の搬送機器を使用するが、階段や狭い路地など搬送機器を使用できない場合には、人が空気調和機に設置された取手や梱包材を持って運搬を行っている。
【０００３】
空気調和機の室外機の梱包材は、木材を使用し、数枚の薄板を井桁状に組み合わせ、釘等で固定している。そして室外機の据付足を、その梱包材の上面にネジ等で固定して室外機が梱包材に対して動かないようにしている。
【０００４】
そして井桁状に組まれた薄板の隙間にフォークリフトの爪を差込んで持ち上げ室外機の搬送を行っている。
【０００５】
また、階段や狭い路地など搬送機器を使用できないため、人が室外機を運搬する場合は、室外機本体に設置された搬送用取手を持つか、または本体下部の梱包材を持ち上げて運搬することになる。梱包材を持ち上げる際は、その下面が地面に接触していることから、井桁状に組まれた梱包材の上部をつかんで持ち上げることになる。
【特許文献１】特開平４−６０６２号公報
【発明の開示】
【発明が解決しようとする課題】
【０００６】
従来の空気調和機の梱包材は、人手によって搬送することを考慮していないため、梱包材に人が持てる部位が無かったり、また井桁状に組まれた薄板は釘等で固定されただけであるので、その薄板自体を持つには強度不足で人手によって搬送するのには適さないという問題点があった。また、それらを改善するためにはコストが嵩む等の問題点があった。
【０００７】
この発明は、上記のような問題点を解消するためになされたもので、空気調和機を傷や損壊から防ぐだけでなく、人手により搬送ができる安価な空気調和機の梱包材及びそれを用いた搬送方法及び物品の梱包材を提供することを目的とする。
【課題を解決するための手段】
【０００８】
この発明に係る空気調和機の梱包材は、木材を使用し、薄板を井桁状に組み合わせ、長手方向に平行な方向の端部にフォークリフトの差込口を有し、上面に空気調和機の室外機の載置面を形成した梱包材ベースと、この梱包材ベースの長手方向両端部にはめ込まれ、上面が空気調和機の室外機の底面と接触し、人が運搬するための切欠部を有する緩衝材とを備えたことを特徴とする。
【発明の効果】
【０００９】
この発明に係る空気調和機の梱包材は、上記構成により、空気調和機を傷や損壊から防ぐだけでなく、人手により搬送できる梱包材を安価に提供できる。
【発明を実施するための最良の形態】
【００１０】
実施の形態１．
図１〜９は実施の形態１を示す図で、図１は空気調和機の室外機の一例を示す斜視図、図２は梱包材の斜視図、図３は梱包材の平面図、図４は緩衝材の斜視図、図５は緩衝材を梱包材ベースにはめ込んだ状態の部分側面図、図６は室外機が置かれた梱包材の長手方向に直交する方向の断面図、図７は梱包材により室外機を搬送する場合の手順を示す図、図８は梱包材に固定された室外機をトラックから降ろして搬送する時の図、図９は梱包材に固定された室外機をトラックから降ろして搬送する時の手順を示す図である。
【００１１】
図１に示すように、梱包材の対象となる機器は、空気調和機の室外機である。室外機３は、筐体の内部に、図示しない冷凍サイクルの一部を構成する圧縮機、室外熱交換器等、及びこの室外熱交換器に送風を行う送風機等が収納されている。そして、底面に据付足３ａを備える。本実施の形態の対象となる空気調和機は、能力が４〜６馬力（１１．２〜１６ｋｗ）の、室内機と室外機とが分かれたタイプのものである。室内機は室外機に比べると軽量なため本実施の形態の対象ではないが、例えば天井カセット形、壁掛け形、床置き形、天吊り形等がある。
【００１２】
本実施の形態の対象となる空気調和機の室外機は、重量が１００〜１４０ｋｇのものである。例えば、６馬力の空気調和機の室外機は、重量が１２０〜１３０ｋｇである。即ち、梱包材に木材のように比較的強度の高い材料を必要とするもので、２人の作業者で搬送が可能なものである。
【００１３】
図２〜５に示すように、梱包材は梱包材ベース１と、２個の緩衝材２とで構成される。梱包材ベース１は木材を使用し、井桁状に組まれた薄板１ａを釘１ｂで固定したものである。釘１ｂは上面に１９本、裏面に１５本、計３４本使用している。梱包材ベース１は、長手方向に平行な方向の端部にフォークリフトの差込口を有する。梱包材ベース１の長手方向（左右方向）両側部付近に、緩衝材２をはめ込み梱包材となる。
【００１４】
緩衝材２は、全体が略四角柱の形状であり、長手方向の下部２隅に、人の手を添えるための切欠部２ａを形成すると共に、長手方向に平行な一方の端面に梱包材ベース１長手方向の位置決めのための引掛部２ｃを有する。梱包材ベース１長手方向に直交する方向の位置決めは、その方向の両端部に位置する薄板に挟まれることで決まる。
【００１５】
緩衝材２の上面部２ｂは、梱包材ベース１の上面より室外機３の据付足３ａの高さ分（例えば、２０ｍｍ）高くなっている。
【００１６】
緩衝材２は、通常は発泡スチロールで成形されるが、ＡＢＳ樹脂やポリプロピレンでもよい。
【００１７】
２個の緩衝材２の引掛部２ｃが、梱包材ベース１長手方向に直交する薄板の二つの表出する上面部の何れか一つに対角に係合するように構成にすれば、緩衝材２は１種類でよく、部品点数を少なくすることができる。
【００１８】
図６の断面図に示すように、梱包材ベース１と緩衝材２とで構成された梱包材の上に、空気調和機の室外機３が置かれる。室外機３は梱包材からずれないように、室外機３の据付足３ａを井桁状に組まれた薄板１ａにネジ４を用いて固定されている。緩衝材２の上面部２ｂは室外機３の下面に接触し、衝撃を受けた場合、室外機３の荷重を支え吸収する。
【００１９】
図７に示すように、室外機３を搬送する場合は、先ず梱包材ベース１と緩衝材２とで構成された梱包材の上に室外機３を置く（ステップＳ１）。次ぎに、室外機３の据付足３ａを薄板にネジ４により固定する（ステップＳ２）。この時、緩衝材２の上面部２ｂは室外機３の下面に接触し、室外機３の荷重を支えている（ステップＳ３）。井桁状に組まれた薄板間の隙間１ｃから人の手５を挿しいれ、緩衝材２の切欠部２ａを持ち上げて室外機３を搬送する（ステップＳ４）。
【００２０】
緩衝材２はその上面部２ｂで室外機３に接しており、室外機３の荷重がその接触面積部に分散されるので、その緩衝材２は特別な強度改善を必要とせずに室外機３を持ち上げることができる。
【００２１】
図８の梱包材搬送時の図、及び図９の手順を示す図により、トラックの荷台に積まれた梱包材に包まれた室外機３を２人の作業者で降ろして搬送する手順を説明する。
トラック８の荷台に梱包材に包まれた室外機３が複数台積まれている（ステップＳ１０）。荷台上の作業者Ａと荷台下の作業者Ｂとで室外機３を降ろす作業を開始する（ステップＳ１１）。作業者Ａは室外機３の本体を押し、作業者Ｂは梱包材ベース１の薄板間の隙間１ｃに手を入れて引っぱり、室外機３を荷台から引きずり出す（ステップＳ１２）。
【００２２】
その後、室外機３の半分以上は荷台から飛び出し、室外機３は荷台と作業者Ｂとにより支えられている（ステップＳ１３）。荷台に居た作業者Ａは荷台から降りて、室外機３の支えを補助する（ステップＳ１４）。
【００２３】
その後、作業者Ａは作業者Ｂとは反対側の梱包材ベース１の薄板間の隙間１ｃに手を入れて、緩衝材２の切欠部２ａを手で支えて、両者で室外機３を持ち上げ、任意の位置まで搬送する（ステップＳ１５）。
【００２４】
上述の実施の形態によれば、空気調和機の室外機３の梱包材として、梱包材ベース１に緩衝材２をはめ込み、緩衝材２の上面部２ｂが梱包材ベース１より上に突出するようにして、室外機３の下面に接触するようにしたので、搬送時の室外機３の受ける衝撃による傷や損壊を抑制する。
【００２５】
また、緩衝材２に切欠部２ａを設けたので、人手により搬送できる梱包材を安価に提供できる。
【００２６】
実施の形態２．
図１０〜１２は実施の形態２を示す図で、図１０は室外機の底板を示す図、図１１は梱包材の斜視図、図１２は梱包材の平面図である。
図１０に示すように、室外機の底板３ｂは、板金製で全体がほぼ四角形の形状である。室外機の底板３ｂの下部に、２個の据付足３ａを長手方向に直交する方向に延設している。それぞれの据付足３ａは梱包材にネジ締めするための穴を両端部に備える。一方の穴は閉じた長穴で、他方の穴は一端部が開放した長穴である。据付足３ａの高さは、例えば２０ｍｍ程度のものである。
【００２７】
室外機の底板３ｂの上には、冷凍サイクルの一部を構成し、低温、低圧の冷媒を吸入して、高温、高圧の冷媒に圧縮する圧縮機（通常、密閉型圧縮機）等が載せられる。室外機の底板３ｂに４個の圧縮機の取付穴３ｃが開けられ、これらの圧縮機の取付穴３ｃにより圧縮機が固定される。圧縮機は一般に、重量物であり、室外機３の重心は中央部ではなく、圧縮機側にある。
【００２８】
図１１、１２に示すように、室外機３の重心に合わせて、圧縮機が搭載される側の梱包材の緩衝材の上面の面積を大きくすることにより、搬送時に衝撃を受けた場合、効果的に室外機３の荷重を支え吸収することができる。
【００２９】
梱包材は梱包材ベース１と、第１の緩衝材６と第２の緩衝材７とで構成される。梱包材ベース１は木材を使用し、井桁状に組まれた薄板１ａを釘１ｂで固定したものである。釘１ｂは上面に１９本、裏面に１５本、計３４本使用している。梱包材ベース１の長手方向（左右方向）両側部付近に、第１の緩衝材６と第２の緩衝材７とをはめ込み梱包材となる。
【００３０】
第１の緩衝材６と第２の緩衝材７とは、梱包材の長手方向の幅が異なり、第１の緩衝材６の方が、第２の緩衝材７よりも大きくなっている。室外機３は圧縮機が搭載された側が、第１の緩衝材６側になるように、梱包材に置かれる。
【００３１】
第１の緩衝材６と第２の緩衝材７は、実施の形態１と同様、全体が略四角柱の形状であり、長手方向の下部２隅に、人の手を添えるための切欠部（第１の緩衝材６では切欠部６ａ、第２の緩衝材７では図示なし）を有する。また、第１の緩衝材６と第２の緩衝材７は、長手方向に平行な一方の端面に梱包材ベース１長手方向の位置決めのための引掛部（第１の緩衝材６では引掛部６ｃ、第２の緩衝材７では引掛部７ｃ）を有する。
【００３２】
第１の緩衝材６の上面部６ｂと第２の緩衝材７の上面部７ｂは、梱包材ベース１の上面より室外機３の据付足３ａの高さ分（例えば、２０ｍｍ）高くなっている。
【００３３】
第１の緩衝材６と第２の緩衝材７は、実施の形態１と同様、通常は発泡スチロールで成形されるが、ＡＢＳ樹脂やポリプロピレンでもよい。
【００３４】
上述の実施の形態によれば、空気調和機の室外機３の梱包材として、梱包材ベース１に第１の緩衝材６と第２の緩衝材７をはめ込み、第１の緩衝材６の上面部６ｂと第２の緩衝材７の上面部７ｂが梱包材ベース１より上に突出するようにし、第１の緩衝材６と第２の緩衝材７は、梱包材の長手方向の幅が異なり、第１の緩衝材６の方が、第２の緩衝材７よりも大きくし、室外機３は圧縮機が搭載された側が、第１の緩衝材６側になるようにして、梱包材に置かれる室外機３の下面に接触するようにしたので、効果的に搬送時の室外機３の受ける衝撃による傷や損壊を抑制する。
【００３５】
また、第１の緩衝材６と第２の緩衝材７にそれぞれ切欠部を設けたので、人手により搬送できる梱包材を安価に提供できる。
【００３６】
上述の実施の形態では、空気調和機の室外機の梱包材について説明したが、その梱包材は空気調和機に限らず、説明した室外機とほぼ同程度の重量、大きさ（床面積、高さ）の物品に適用可能である。
【図面の簡単な説明】
【００３７】
【図１】実施の形態１を示す図で、空気調和機の室外機の一例を示す斜視図である。
【図２】実施の形態１を示す図で、梱包材の斜視図である。
【図３】実施の形態１を示す図で、梱包材の平面図である。
【図４】実施の形態１を示す図で、緩衝材の斜視図である。
【図５】実施の形態１を示す図で、緩衝材を梱包材ベースにはめ込んだ状態の部分側面図である。
【図６】実施の形態１を示す図で、室外機が置かれた梱包材の長手方向に直交する方向の断面図である。
【図７】実施の形態１を示す図で、梱包材により室外機を搬送する場合の手順を示す図である。
【図８】実施の形態１を示す図で、梱包材に固定された室外機をトラックから降ろして搬送する時の図である。
【図９】実施の形態１を示す図で、梱包材に固定された室外機をトラックから降ろして搬送する時の手順を示す図である。
【図１０】実施の形態２を示す図で、室外機の底板を示す図である。
【図１１】実施の形態２を示す図で、梱包材の斜視図である。
【図１２】実施の形態２を示す図で、梱包材の平面図である。
【符号の説明】
【００３８】
１  梱包材ベース、１ａ  井桁状に組まれた薄板、１ｂ  釘、１ｃ  薄板間の隙間、２  緩衝材、２ａ  切欠部、２ｂ  上面部、２ｃ  引掛部、３  室外機、３ａ  据付足、３ｂ  室外機の底板、３ｃ  圧縮機の取付穴、４  ネジ、５  人の手、６  第１の緩衝材、６ａ  切欠部、６ｂ  上面部、６ｃ  引掛部、７  第２の緩衝材、７ａ  切欠部、７ｂ  上面部、７ｃ  引掛部、８  トラック、Ａ，Ｂ  作業者。
【図１】
2005271958.tif 000003
【図２】
2005271958.tif 000004
【図３】
2005271958.tif 000005
【図４】
2005271958.tif 000006
【図５】
2005271958.tif 000007
【図６】
2005271958.tif 000008
【図７】
2005271958.tif 000009
【図８】
2005271958.tif 000010
【図９】
2005271958.tif 000011
【図１０】
2005271958.tif 000012
【図１１】
2005271958.tif 000013
【図１２】
2005271958.tif 000014